(57)【要約】      （修正有）【課題】張設対象物との隙間を小さくしてネットを張設可能となると共に、ネットを容易に掛止可能となる簡易構造のネット張設具を提供する。【解決手段】張設対象物２に当接させて取付可能な当接取付体３に、ネット１を掛止する掛止部５を突設し、掛止部５は、ネット１を掛止可能な棒状Ｃ環体６から成り、棒状Ｃ環体６のＣ状部６Ｂ側を当接取付体３側にして両端部６Ａ側を当接取付体３と離れる側に配設する構成とし、棒状Ｃ環体６の両端部６Ａは、夫々を当接取付体３側に向けて設けるか若しくは互いに反対側に向けて設けて、両端部６Ａがその側面間に空隙部７を有する離間状態で並設する形状に形成し、両端部６Ａ間の空隙部７からネット１を棒状Ｃ環体６内に挿入し掛止する構成としたネット張設具。【選択図】図３
2016211252.tif 000002
【特許請求の範囲】
【請求項１】
ネットを張設する張設対象物に当接させて取付可能な当接取付体に、ネットを掛止する掛止部を突設して、前記当接取付体を張設対象物に取付けた際に、この掛止部が張設対象物に近接配設するように構成し、この掛止部は、ネットを掛止可能な棒状Ｃ環体から成り、この棒状Ｃ環体のＣ状部側を前記当接取付体側にして両端部側を当接取付体と離れる側に配設する構成とし、この棒状Ｃ環体の両端部は、夫々を前記当接取付体側に向けて設けるか若しくは互いに反対側に向けて設けて、この両端部がその側面間にネットの挿入口となる空隙部を有する離間状態で並設する形状に形成し、この両端部間の空隙部から前記ネットを棒状Ｃ環体内に挿入し掛止する構成としたことを特徴とするネット張設具。
【請求項２】
ネットを張設する張設対象物に当接させて取付可能な当接取付体に、ネットを掛止する掛止部を突設して、前記当接取付体を張設対象物に取付けた際に、この掛止部が張設対象物に近接配設するように構成し、この掛止部は、ネットを掛止可能なＬ状若しくはＪ状の掛杆体から成り、この掛杆体を当接取付体の対向位置に夫々突設すると共に、この各掛杆体の突出先端部は、夫々を前記当接取付体側に向けて設けるか若しくは互いに反対側に向けて設けて、この各突出先端部がその側面間にネットの挿入口となる空隙部を有する離間状態で並設する形状に形成し、この各突出先端部間の空隙部から前記ネットを掛杆体内に挿入し掛止する構成としたことを特徴とするネット張設具。
【請求項３】
前記当接取付体に、前記張設対象物に当接させる当接面部を設け、この当接面部に、ビスやボルトなどの取付具を螺着する螺子孔を設けたことを特徴とする請求項１，２のいずれか１項に記載のネット張設具。
【請求項４】
前記当接取付体に、前記張設対象物に当接させる当接面部を設け、この当接面部に外方へ向けて螺子棒を突設したことを特徴とする請求項１，２のいずれか１項に記載のネット張設具。
【請求項５】
前記当接取付体を薄板形状に形成し、この当接取付体の一側板面を前記張設対象物に当接させる当接面部とすると共に、当接取付体の他側板面に前記掛止部を突設した構成とし、この当接取付体に、ビスやボルトなどの取付具を挿通する挿通孔を設けたことを特徴とする請求項１，２のいずれか１項に記載のネット張設具。
【発明の詳細な説明】
【技術分野】
【０００１】
本発明は、例えば、建築物の高所に落下防止用ネットを張設したり、スポーツ施設に防球用等のネットを張設するために使用するネット張設具に関するものである。
【背景技術】
【０００２】
従来から、高所で作業する作業員が万一足を踏み外して墜落した時、地面などに激突することを防止したり、高所から誤って物を落としたりした時、下方の作業員に当たって負傷することを防ぐために安全ネットが多用されている。
【０００３】
また、出願人は、この安全ネットを張設するために用いる特許第２９６４０７６号（特許文献１）の安全ネット張設金具を特許出願している。
【０００４】
この特許文献１を簡単に説明すると、金具本体を略コ字状に形成し、この金具本体の遊離両端部の一端にボルトを螺着固定すると共に、このボルトの回動螺動によりボルト先端が遊離両端部の他端に対し接離移動するように設けて、このボルト先端と遊離他端部とで建築物の柱材や梁材などの張設対象物に挟持締付固定可能な固定部を構成し、この固定部の反対側となる前記金具本体の背面に安全ネット周囲を係止するための係止部を設けた構成で、例えば、安全ネットを張設したい建築途中の建築物の骨組であるＨ鋼のフランジ部に、前記固定部を介して本金具を挟持締付固定し、任意の空間部を囲繞する複数のＨ鋼に対して多数固定したこの安全ネット張設金具の前記各係止部に、安全ネットの周囲部を係止することで骨組間の任意の空間部に安全ネットを張設できる。
【先行技術文献】
【特許文献】
【０００５】
【特許文献１】特許第２９６４０７６号公報
【発明の概要】
【発明が解決しようとする課題】
【０００６】
この種のネットは、落下防止等の安全性を高く確保するために、張設対象物との間にできるだけ隙間がない状態で張設したい。
【０００７】
本発明は、この要望に応えるためのもので、張設対象物との隙間を小さくしてネットを張設可能となると共に、ネットを容易に掛止可能となる実用性に優れた簡易構造のネット張設具を提供するものである。
【課題を解決するための手段】
【０００８】
添付図面を参照して本発明の要旨を説明する。
【０００９】
ネット１を張設する張設対象物２に当接させて取付可能な当接取付体３に、ネット１を掛止する掛止部５を突設して、前記当接取付体３を張設対象物２に取付けた際に、この掛止部５が張設対象物２に近接配設するように構成し、この掛止部５は、ネット１を掛止可能な棒状Ｃ環体６から成り、この棒状Ｃ環体６のＣ状部６Ｂ側を前記当接取付体３側にして両端部６Ａ側を当接取付体３と離れる側に配設する構成とし、この棒状Ｃ環体６の両端部６Ａは、夫々を前記当接取付体３側に向けて設けるか若しくは互いに反対側に向けて設けて、この両端部６Ａがその側面間にネット１の挿入口となる空隙部７を有する離間状態で並設する形状に形成し、この両端部６Ａ間の空隙部７から前記ネット１を棒状Ｃ環体６内に挿入し掛止する構成としたことを特徴とするネット張設具に係るものである。
【００１０】
また、ネット１を張設する張設対象物２に当接させて取付可能な当接取付体３に、ネット１を掛止する掛止部５を突設して、前記当接取付体３を張設対象物２に取付けた際に、この掛止部５が張設対象物２に近接配設するように構成し、この掛止部５は、ネット１を掛止可能なＬ状若しくはＪ状の掛杆体15から成り、この掛杆体15を当接取付体３の対向位置に夫々突設すると共に、この各掛杆体15の突出先端部15Ａは、夫々を前記当接取付体３側に向けて設けるか若しくは互いに反対側に向けて設けて、この各突出先端部15Ａがその側面間にネット１の挿入口となる空隙部７を有する離間状態で並設する形状に形成し、この各突出先端部15Ａ間の空隙部７から前記ネット１を掛杆体15内に挿入し掛止する構成としたことを特徴とするネット張設具に係るものである。
【００１１】
また、前記当接取付体３に、前記張設対象物２に当接させる当接面部４を設け、この当接面部４に、ビスやボルト８Ａなどの取付具８を螺着する螺子孔９を設けたことを特徴とする請求項１，２のいずれか１項に記載のネット張設具に係るものである。
【００１２】
また、前記当接取付体３に、前記張設対象物２に当接させる当接面部４を設け、この当接面部４に外方へ向けて螺子棒10を突設したことを特徴とする請求項１，２のいずれか１項に記載のネット張設具に係るものである。
【００１３】
また、前記当接取付体３を薄板形状に形成し、この当接取付体３の一側板面を前記張設対象物２に当接させる当接面部４とすると共に、当接取付体３の他側板面に前記掛止部５を突設した構成とし、この当接取付体３に、ビスやボルト８Ａなどの取付具８を挿通する挿通孔11を設けたことを特徴とする請求項１，２のいずれか１項に記載のネット張設具に係るものである。
【発明の効果】
【００１４】
本発明は上述のように構成したから、張設対象物に対し掛止部が近接配設するようにして取付けでき、これにより張設対象物とネット間の隙間が小さく安全性の高いネット張設状態を実現できるネット張設具となり、しかも本発明の掛止部は、例えば型成形や曲げ加工などにより簡易に設計実現可能であると共に、空隙部からネットを挿入するだけで容易にネットを掛止でき、そうでありながら簡単にネットが抜け外れることがないなど、極めて実用性に優れたネット張設具となる。
【００１５】
また、請求項３〜５記載の発明においては、張設対象物に当接させて取付可能な当接取付体を簡易構成にして容易に設計実現可能となり、特に請求項５記載の発明のように構成することにより、張設対象物に対して掛止部が近接配設する構成を容易に設計実現可能となる。
【図面の簡単な説明】
【００１６】
【図１】実施例１を示す斜視図である。
【図２】実施例１を張設対象物２（角材）に取付けようとする状態を示す説明分解斜視図である。
【図３】実施例１の使用状態を示す説明正面図である。
【図４】実施例１の使用状態を示すネットを省略した説明側断面図である。
【図５】実施例２を示す斜視図である。
【図６】実施例２を張設対象物２（Ｈ型鋼）に取付けようとする状態を示す説明分解斜視図である。
【図７】実施例３を示す斜視図である。
【図８】実施例３を張設対象物２（角材）に取付けようとする状態を示す説明分解斜視図である。
【図９】実施例４を示す斜視図である。
【図１０】実施例４を張設対象物２（角材）に取付けようとする状態を示す説明分解斜視図である。
【図１１】実施例４の使用状態を示すネットを省略した説明側断面図である。
【図１２】実施例５を示す斜視図及び正面図である。
【図１３】実施例５の使用状態を示す説明側断面図である。
【発明を実施するための形態】
【００１７】
好適と考える本発明の実施形態を、図面に基づいて本発明の作用を示して簡単に説明する。
【００１８】
例えば、建築途中の建築物の骨組材やスポーツ施設のネット張設用支柱などを張設対象物２とし、この張設対象物２に、本発明のネット張設具をその当接取付体３を当接させて取付すると、掛止部５が張設対象物２に近接配設することになる。
【００１９】
そのため、この掛止部５にネット１を掛止すると、張設対象物２とネット１との間の隙間が小さい近接状態となり、これにより張設対象物２とネット１との隙間から物などが落下したり、ボールなどが通り抜けたりしにくく、非常に安全性が高い。
【００２０】
また、本発明の掛止部５は、ネット１を掛止可能な棒状Ｃ環体６から成り、この棒状Ｃ環体６のＣ状部６Ｂ側を前記当接取付体３側にして両端部６Ａ側を当接取付体３と離れる側に配設する構成とし、この棒状Ｃ環体６の両端部６Ａは、夫々を前記当接取付体３側に向けて設けるか若しくは互いに反対側に向けて設けて、この両端部６Ａがその側面間にネット１の挿入口となる空隙部７を有する離間状態で並設する形状に形成したものとしているか、あるいは掛止部５は、ネット１を掛止可能なＬ状若しくはＪ状の掛杆体15から成り、この掛杆体15を当接取付体３の対向位置に夫々突設すると共に、この各掛杆体15の突出先端部15Ａは、夫々を前記当接取付体３側に向けて設けるか若しくは互いに反対側に向けて設けて、この各突出先端部15Ａがその側面間にネット１の挿入口となる空隙部７を有する離間状態で並設する形状に形成したものとしている。
【００２１】
そのため、この掛止部５を構成する棒状Ｃ環体６、あるいは掛止体15へは、当接取付体３から離れた両端部６Ａ間の空隙部７、あるいは各掛杆体15の突出先端部15Ａ間の空隙部７からネット１を挿入するだけでネット１を容易に掛止できる。
【００２２】
また、棒状Ｃ環体６の両端部６Ａの並設方向とネット１の張設方向とが略一致するようにしてネット１を棒状Ｃ環体６に掛止するか、又は各掛杆体15の突出先端部15Ａの並設方向とネット１の張設方向とが略一致するようにしてネット１を掛杆体15に掛止すれば、棒状Ｃ環体６の両端部６Ａネット１とが略直交配設して棒状Ｃ環体６からネット１が簡単には抜け外れないか、あるいは各突出先端部15Ａとネット１とが略直交配設して掛杆体15からネット１が簡単には抜け外れない。
【００２３】
また、本発明の掛止部５は、例えば、型成形や曲げ加工等により棒状Ｃ環体６、あるいは掛杆体15を上記形状に形成することによって容易に設計実現可能である。
【実施例１】
【００２４】
本発明の具体的な実施例１について図１〜図４に基づいて説明する。
【００２５】
本実施例のネット掛止具は、ネット１を張設する張設対象物２に当接させて取付可能な当接取付体３に、ネット１を掛止する掛止部５を突設した構成としている。
【００２６】
本実施例の当接取付体３は、例えば金属製として図１に示すような円錐台形状に形成し、その径大円形面を張設対象物２に当接させる当接面部４とすると共に、反対側の径小円形面側に前記掛止部５を突設した構成としている。
【００２７】
また、この当接取付体３の当接面部４には、その中心部に雌螺子孔９を凹設して、この雌螺子孔９にビスやボルト８Ａなどの取付具８を螺着し得るように構成している。
【００２８】
即ち、例えば、図２，図４に示すように、張設対象物２（本実施例では、建築物の骨組材としての角材２Ａを図示しているが、これに限らず、例えばスポーツ施設のネット張設用支柱や、その他のネットを張設したい構造物を張設対象物２としても良い。）にボルト通し孔12を貫通形成し、このボルト通し孔12に通したボルト８Ａのボルト先端を雌螺子孔９に螺着して締付することにより、角材２Ａの側面に前記当接面部４を面接当接させて当接取付体３を角材２Ａに取付可能な構成としている。
【００２９】
また、ネット１の張設が不要となった時（例えば、建築物完成時など）には、ボルト８Ａを緩めて雌螺子孔９から螺脱して、本ネット張設具を張設対象物２から取り外しできる構成としている。
【００３０】
また、本実施例の当接取付体３は、雌螺子孔９を有する構成としながらも、当接面部４と反対側の径小円形面との距離が可及的に小さくなる（薄厚となる）形状に設定して、この当接取付体３を前述のように張設対象物２に当接させて取付した際に、この掛止部５が張設対象物２に近接配設するように構成している。
【００３１】
また、本実施例の掛止部５は、例えば金属製であってネット１を掛止可能な棒状Ｃ環体６から成るものとし、この棒状Ｃ環体６のＣ状部６Ｂ側を前記当接取付体３側にして両端部６Ａ側を当接取付体３と離れる側に配設する構成としている。
【００３２】
また、この棒状Ｃ環体６の両端部６Ａは、夫々を互いに反対側に向けて設けると共に、夫々が前記当接取付体３側を向くように湾曲形成して、この両端部６Ａがその側面間にネット１の挿入口となる空隙部７を有する離間状態で並設する形状に形成し、この両端部６Ａ間の空隙部７から前記ネット１を棒状Ｃ環体６内に挿入し掛止する構成としている（図３参照）。
【００３３】
具体的には、掛止部５は、図１に示すようなコイル状の棒状Ｃ環体６から成り、これにより棒状Ｃ環体６の両端部６Ａが夫々相反する方向へ突出すると共に、両端部６Ａが互いに交差することなく、この掛止部５を当接取付体３の前記径小円形面を見る方向から見た際に略平行関係を保ったまま離間した形状に形成して（図３参照）、この離間する両端部６Ａの側面間の空隙部７からネット１の網縁１Ａを挿入して棒状Ｃ環体６に掛止係止できるように構成している。尚、請求項１中の「棒状Ｃ環体６」なる記載は、図示したような湾曲Ｃ状を呈するものだけでなく、適所にストレート部を有するような変形のＣ状（略Ｃ状）をなすものをも含む意味合いで用いているものである。
【００３４】
この掛止部５を構成する棒状Ｃ環体６は、例えば、ロストワックス鋳造等の型成形によって形成しても良いし、金属棒に曲げ加工を施すことによって形成しても良いし、その他の製法で形成しても良い。また、この棒状Ｃ環体６は、その両端部６Ａが当接取付体３側に向かって湾曲せずに、夫々が反対方向に向けて略ストレートに突出するような形状に形成しても良い。
【００３５】
また、この掛止部５は、前記棒状Ｃ環体６のＣ状部６Ｂ（Ｃ状湾曲部）の中間部を、前記当接取付体３の径小円形面側に埋没状態に固定することによって、この掛止部５の両端部６Ａを当接取付体３の径小円形面より外方へ突設させた構成としている。
【００３６】
本実施例では、図２〜図４に示すように、この掛止部５（棒状Ｃ環体６）をその両端部６Ａが上下方向を向くようにして張設対象物２に取付し使用する構成としている。従って、この掛止部５の上方を向いている端部６Ａにネット１の網縁１Ａを上から引っ掛ける（あるいは、掛止部５の下方を向いている端部６Ａにネット１の網縁１Ａを下から引っ掛ける）ようにしつつ網縁１Ａを空隙部７に挿入するだけで簡単に掛止部５にネット１を掛止でき、逆の作業により簡単に掛止部５からネット１を外すことができるように構成している。
【００３７】
また、このネット１の掛止部５への掛止時には、掛止部５の両端部６Ａの並設方向とネット１の網縁１Ａの張設方向とが略一致した状態となっているので、掛止部５の両端部６Ａ夫々の長さ方向（掛止部５を前記当接取付体３の径小円形面を見る方向から見た際に縦長形状に現れる空隙部７の長さ方向）とネット１の網縁１Ａとは常に略直交配設状態となって網縁１Ａが簡単には抜け外れることがなく、意図してネット１の網縁１Ａを撓ませて空隙部７に配しない限りは抜け外れることのない構成としている（図３参照）。
【実施例２】
【００３８】
本発明の具体的な実施例２について図５，図６に基づいて説明する。
【００３９】
本実施例は、前記実施例１において、前記当接取付体３の当接面部４に、前記雌螺子孔９を設けず、この当接面部４から外方へ向けて螺子棒10を突設した構成とした場合を示している。
【００４０】
具体的には、図５に示すように、当接面部４の中心部に、軸の先端が平らな螺子棒10を外方へ向けて一体的に突設している。
【００４１】
また、本実施例の張設対象物２への取付構造は、例えば図６に示すように、張設対象物２としてのＨ型鋼２Ｂのウェブ部にボルト通し孔12を貫通形成し、このボルト通し孔12に通した螺子棒10のボルト先端にナット13を螺着して締付することにより、前記当接面部４をＨ型鋼２Ｂのウェブ部に当接させて当接取付体３をＨ型鋼２Ｂに取付する構造としている。
【００４２】
また、ネット１の張設が不要となった時には、ナット13を緩めて螺子棒10をボルト通し孔12から挿脱することで、本ネット張設具を張設対象物２から取り外しできる構成としている。
【００４３】
また、本実施例の当接取付体３は、前記実施例１に比して、前記雌螺子孔９がないために当接面部４と反対側の径小円形面との距離を小さく設定できており、これによりこの当接取付体３を前述のように張設対象物２に当接させて取付した際には、掛止部５が実施例１のそれよりも更に張設対象物２に近接配設することになる構成としている。
【００４４】
他の構成は、前記実施例１と同様である。
【実施例３】
【００４５】
本発明の具体的な実施例３について図７，図８に基づいて説明する。
【００４６】
本実施例は、前記実施例２において、前記螺子棒10として、軸の先端が鋭利形状で螺子山間のピッチが広い木螺子棒10Ａを採用した場合を示している。
【００４７】
従って、この木螺子棒10Ａを備える本実施例は、例えば張設対象物２としての木材（角材２Ａ）に対し直接ねじ込むことにより、前記当接面部４を角材２Ａの側面に当接させて当接取付体３を角材２Ａに取付けできる構成としている。また、図面の角材２Ａは、その対向側面間を貫通するようにして、木螺子棒10Ａの外径より径小なガイド孔14を貫通形成し、このガイド孔14をガイドに前記木螺子棒10Ａをスムーズにねじ込みできる構成としている。
【００４８】
また、ネット１の張設が不要となった時には、本ネット張設具自体を回転して木螺子棒10Ａを角材２Ａから螺脱することで、本ネット張設具を張設対象物２から取り外すこともできる構成としている。
【００４９】
他の構成は、前記実施例２と同様である。
【実施例４】
【００５０】
本発明の具体的な実施例４について図９〜図１１に基づいて説明する。
【００５１】
本実施例は、前記実施例１において、当接取付体３を縦長の方形薄板状に形成した場合である。
【００５２】
具体的には、この板状の当接取付体３の一側板面を張設対象物２に当接させる当接面部４とすると共に、当接取付体３の他側板面に前記掛止部５を溶接固定してこの他側板面より外方へ掛止部５を突設した構成とした場合を示している。
【００５３】
また、この当接取付体３は、その四隅部にビスやボルト８Ａなどの取付具８を挿通する挿通孔11を貫通形成している。
【００５４】
本実施例の張設対象物２への取付構造は、例えば図１０に示すように、張設対象物２としての角材２Ａの対向側面に、前記挿通孔11に対応させた四箇所にボルト通し孔12を貫通形成し、このボルト通し孔12と前記挿通孔11とを連通させ、この四箇所の連通孔11・12に通した取付具８としてのボルト８Ａの夫々のボルト先端にナット13を螺着して締付することにより、前記当接面部４を角材２Ａの側面に当接させて当接取付体３を角材２Ａに取付する構造としている。
【００５５】
また、ネット１の張設が不要となった時には、各ナット13を緩めて各ボルト８Ａをボルト通し孔12から挿脱することで、本ネット張設具を張設対象物２から取り外しできる構成としている。
【００５６】
このように構成した本実施例の当接取付体３は、前記実施例２，３よりも当接面部４と反対側の径小円形面との距離を更に小さく設定できており、これによりこの当接取付体３を前述のように張設対象物２に当接させて取付した際には、掛止部５が実施例２，３のそれよりも更に張設対象物２に近接配設することになる構成としている（図１１参照）。
【００５７】
他の構成は、前記実施例１と同様である。
【実施例５】
【００５８】
本発明の具体的な実施例５ついて図１２，図１３に基づいて説明する。
【００５９】
本実施例は、当接取付体３を実施例４のそれよりやや厚みのある縦長の方形板状に形成し、この板状の当接取付体３の一側板面を張設対象物２に当接させる当接面部４とすると共に、当接取付体３の他側板面に掛止部５を突設した構成とした場合を示している。
【００６０】
また、当接面部４には、その中心部にこの当接面部４から外方へ向けて前記実施例２と同様の螺子棒10を突設した構成としている（実施例２と同等な張設対象物２への取付構造を具備する構成としている）が、他の取付構造を採用しても良い。
【００６１】
また、本実施例の掛止部５は、二体のネット１を掛止可能なＬ状の掛杆体15から成り、この掛杆体15を当接取付体３の対向位置に夫々突設した構成としている。
【００６２】
この掛止部５を構成する掛杆体15は、例えば、ロストワックス鋳造等の型成形によって形成しても良いし、金属棒に曲げ加工を施すことによって形成しても良いし、その他の製法で形成しても良い。また、この掛止部５（掛杆体15）を前記当接取付体３と一体成形しても良いし、当接取付体３とは別製として溶接等により当接取付体３に固定する構成としても良い。
【００６３】
また、この掛杆体15は、当接取付体３の上下の対向位置（対角位置）に夫々突設すると共に、上側に突設した掛杆体15はその突出先端部15Ａを下方に向け、下側に突設した掛杆体15はその突出先端部15Ａを上方に向けて設けて（各掛杆体15の突出先端部15Ａは、夫々を互いに反対側に向けて設けて）、この各突出先端部15Ａがその側面間にネット１の挿入口となる空隙部７を有する離間状態で並設する形状に形成している（図１２（ｂ）参照）。尚、Ｊ状の掛杆体15を採用して、この各掛杆体15の突出先端部15Ａを、実施例１〜４と同様に前記当接取付体３側に向けて設ける構成としても良い。
【００６４】
従って、この掛止部５（一対の掛杆体15）の上方を向いている突出先端部15Ａにネット１の網縁１Ａを上から引っ掛ける（あるいは、掛止部５の下方を向いている突出先端部15Ａにネット１の網縁１Ａを下から引っ掛ける）ようにしつつ網縁１Ａを空隙部７に挿入するだけで簡単に掛止部５（掛杆体15）にネット１を掛止でき、逆の作業により簡単に掛止部５からネット１を外すことができるように構成している。
【００６５】
また、このネット１の掛止部５への掛止時には、掛止部５の一対の掛杆体15の夫々の突出先端部15Ａの並設方向とネット１の網縁１Ａの張設方向とが略一致した状態となっているので、掛止部５の突出先両端部15Ａ夫々の長さ方向（掛止部５を前記当接取付体３の他側板面を見る方向から見た際に縦長形状に現れる空隙部７の長さ方向）とネット１の網縁１Ａとは常に略直交配設状態となって網縁１Ａが簡単には抜け外れることがなく、意図してネット１の網縁１Ａを撓ませて空隙部７に配しない限りは抜け外れることのない構成としている。
【００６６】
尚、本発明は、実施例１〜５に限られるものではなく、各構成要件の具体的構成は適宜設計し得るものである。
【符号の説明】
【００６７】
１  ネット
２  張設対象物
３  当接取付体
４  当接面部
５  掛止部
６  棒状Ｃ環体
６Ａ  端部
６Ｂ  Ｃ状部
７  空隙部
８  取付具
８Ａ  ボルト
９  螺子孔
10  螺子棒
11  挿通孔
15  掛杆体
15Ａ  突出先端部
【図１】
2016211252.tif 000003
【図２】
2016211252.tif 000004
【図３】
2016211252.tif 000005
【図４】
2016211252.tif 000006
【図５】
2016211252.tif 000007
【図６】
2016211252.tif 000008
【図７】
2016211252.tif 000009
【図８】
2016211252.tif 000010
【図９】
2016211252.tif 000011
【図１０】
2016211252.tif 000012
【図１１】
2016211252.tif 000013
【図１２】
2016211252.tif 000014
【図１３】
2016211252.tif 000015